Podtech/llm-jp-corpus-v4-ja_patent huggingface dataset:
(57)【要約】      （修正有）【課題】タイヤの修理、パーツの交換等、メンテナンスの際に、バイクを空中に持ち上げた状態で維持したい場合には強度を確保し、未使用時には置き場所を、又、移動時には積載車に占有するスペースを少なくするため、収納性、移動性を備えたスタンドを提供する。【解決手段】天端の面台６を支える大フレーム１・小フレーム２は、貫通軸３、回転軸４、横桟５で連結したＸ字の状態で左右開動する構造を成し、回転軸４により面台６が回動後、横桟５に掛かることでスタンドとして機能し、折り畳む時には大フレーム１の内側に小フレーム２が納まり、面台６は、回転軸４により回動し、面台６端部のＬ字状部が、貫通軸３にかぶることで平坦状になり、収納した厚みはフレームと同じ巾となる。【選択図】図２
0003109721.tif 000002
【実用新案登録請求の範囲】
【請求項１】
本考案は、荷重がかかる面台を鉛直Ｘ状に支える大小のコの字形状をした一対のフレームを、左右に開閉可動できる軸で組み、片方のフレーム上端部に組付けた回転軸により回動した面台端部の凹部が、もう一方のフレーム上部に組付けた横桟に掛かり留まる機構で、収納時には、フレーム・面台が内接しながら平坦になることを特徴とするスタンド。
【考案の詳細な説明】
【技術分野】
【０００１】本考案は、屋外・屋内を問わず競技用バイクを載せる台に関するものである。
【背景技術】
【０００２】競技用バイクのタイヤの修理、パーツの交換等、メンテナンスの際に、バイクを空中に持ち上げた状態で維持したい場合は、バイクのエンジンの下に台等をあてがっており、未使用時には置き場所を必要とし、又、移動時には積載車に占有するスペースを確保する必要が有り、かさばる為、収納性、移動性において不便である。
【考案の開示】
【考案が解決しようとする課題】
【０００３】本考案は、従来、収納性を重視し、折り畳んだものは色々あるが、フレームの厚さ、面台の収納が原因で平坦な形状に至らず、又、コンパクト性が増すほど、強度が低下する傾向があった問題点を解決し、コンパクト性を有しながら、なおかつ、使用に耐えれる強度を備えた競技用バイク用スタンドを提供するものである。
【課題を解決するための手段】
【０００４】本考案は、図２の天端の面台６を支える大フレーム１・小フレーム２は、図３のようにＸの字形状に左右に開閉可動するように図２の貫通軸３で連結され、収納した時に耐力があるように、コの字を開いた形状をした大フレーム１の頂部に加工された穴に図３の面台６の両側に溶着された回転軸４が組付けられ、図２の小フレーム２は、大フレーム１より小さいコの字型の形状で、頂部には横桟５が組付けられている為、使用時に回動する面台６の端部のＬ字状部は、この横桟５に掛かることで動きは阻止され、一定の角度で留まる。そして図１の７のように競技用バイク８を載せて作業を行い、作業終了後は、図３の大フレーム１の内側に小フレーム２が納まり、図２の横桟５より外れた面台６は、回転軸４により回動し、図４の面台６端部のＬ字状部が、貫通軸３にかぶることで平坦状になり、収納した厚みがフレーム１本分の巾になることを特徴とする。
【考案の効果】
【０００５】本考案は、図２の面台６の片端部左右に装着した図３の回転軸４で、使用時にフレーム１と２は図２のように左右に開くと、面台６は回動して横桟に掛かり、使用方法は簡易である。収納する為に折り畳む時は図２の面台６を持ち上げながら横桟５から外し、フレーム１と２を閉じることで、図４のように平坦になるので、大きな収納スペースを必要とせず、屋外に持ち出してパーツの交換をする際の可搬性を有し、利便性が高まる。
【考案を実施するための最良の形態】
【０００６】この考案の使用図を、図１に示す。エンジンが載る図２の面台６、それを支えるフレーム２と３はは図３のようにコの字形状で、尚且つ接地部に折り曲げを付け、接地面が広く取れるようにし、安定性を発揮する。図２は、使用時の形態である。図３のようにフレーム１が変形コの字形状をしているのは、折り畳んだ時、強度・耐久性が劣らないように、接地幅を広くするためである。【０００７】大フレーム２の頂部には、図２のように穴明け加工がされており、図３の面台６の両側に装着された回転軸４を組付けている。図３のように大フレーム１より小さいコの字型の形状をした小フレーム２の頂部には図２のように横桟５を組付けている。【０００８】図３のように、このフレーム１と２は、貫通軸３、回転軸４、横桟５で連結され、使用時に図２の面台６を回動させるが、横桟５に、面台６端部のＬ字状部が掛かり、一定以上の角度で広がらない。【０００９】折り畳む時には図３の大フレーム１の内側に小フレーム２が納まり、図２の横桟５より外れた面台６は、回転軸４により回動し、図４の面台６端部のＬ字状部が、貫通軸３にかぶることで平坦状になり、収納した厚みはフレーム１本分の巾となることを特徴とする。
【図面の簡単な説明】
【００１０】
【図１】本考案の使用図である。
【図２】同じく立面図である。
【図３】同じく収納平面図である。
【図４】同じく収納側面図である。
【符号の説明】
【００１１】１．大フレーム
２．小フレーム
３．貫通軸
４．回転軸
５．横桟
６．面台
７．スタンド
８．競技用バイク
【図１】
0003109721.tif 000003
【図２】
0003109721.tif 000004
【図３】
0003109721.tif 000005
【図４】
0003109721.tif 000006
(57)【要約】【課題】静電気防止品やその類の物を手に持たないで、人体に帯電した静電気を大地に放電するようにした静電気除去棒を提供する。【解決手段】静電気除去棒１に接地アース２を施し、地中に埋設したことによって人体に帯電した静電気を大地に放電するようにした。【選択図】  図１
0003109724.tif 000002
【実用新案登録請求の範囲】
【請求項１】
静電気除去棒に接地アースを施し、地中に埋設したことによって人体に帯電した静電気を大地に放電するようにした静電気除去棒。
【考案の詳細な説明】
【技術分野】
【０００１】  現代人は絶縁体の履物を履いていることから静電気を帯電する状況にある。本考案は、一般家庭の出入り口付近に設置するもので、静電気防止品やその類の物を手に持たないで、人体に帯電した静電気を手のひらで静電気除去棒上部を包むように触れることによって大地に放電するようにしたものである。
【背景技術】
【０００２】  従来は、人体に帯電した静電気を除去あるいは防止するためには、携帯用の静電気防止品又は、その類の物を手に持って静電気の除去や防止を行っていた。
【考案の開示】
【考案が解決しようとする課題】
【０００３】  静電気を除去あるいは防止をするためには常時、静電気防止品などを手に持たなければならないという煩わしさがあった。本考案は、この課題を解消するためになされたものである。
【問題を解決するための手段】
【０００４】  上記目的を達成するために、静電気除去棒１にアース棒３を接続し、接地アースを施す。そして、地中に埋設したことによって人体に帯電した静電気を大地に放電するようにした。また、１の上部を手のひらで触れることによって静電気除去品を手に持つ煩わしさをなくした。
【考案の効果】
【０００５】  一般家庭の出入り口付近に設置することで、静電気防止品やその類の物を手に持つ煩わしさがなくなり、人体に帯電した静電気を大地に放電することによって、現代人が抱えるストレスによる邪気や怒気、陰気といった悪い気も同時に流されストレス解消という心理的効果が生まれる。
【実施例】
【０００６】  静電気除去棒１は、ステンレス鏡面仕上げをしており、２銅線は静電気除去棒１と接続してある。地中埋設用銅材としてアース棒３を用いている。静電気除去棒１の上部を手のひらで触れることによって静電気を大地に放電する。
【図面の簡単な説明】
【０００７】
【図１】  本考案の立面図である。
【図２】  本考案の上部から見た平面図である。
【図３】  本考案の下部から見た底面図である。
【符号の説明】
【０００８】  １  静電気除去棒
２  銅線
３  アース棒
【図１】
0003109724.tif 000003
【図２】
0003109724.tif 000004
【図３】
0003109724.tif 000005
(57)【要約】      （修正有）【課題】急いでいる場合で、靴紐の蝶結びの結び目の緩みを締め付けようとしたときに蝶結びを解いてしまうというもどかしさを解消するために目印をつけた靴紐を提供する。【解決手段】目印２を施した靴紐１を靴本体４に装着して蝶結びをすることによって、蝶結びの結び目５が緩んだときに、この結び目５の緩みを直すために締め付けの紐の部分３を蝶結びの結び目５から外方向に引っ張ることによって的確に素早く結び目５を締め付けることをできる。【選択図】図２
0003109728.tif 000002
【実用新案登録請求の範囲】
【請求項１】
靴紐に目印を施すことによって蝶結びの結び目の締め付けを素早くできるようにした目印つき靴紐。
【考案の詳細な説明】
【考案の詳細な説明】
【０００１】［考案の属する技術分野］
本考案は、靴紐の蝶結びの結び目を締め付けるときの一瞬のまごつきを解決するために靴紐に目印を施したものである。
【０００２】［従来の技術］
従来は、靴紐に目印となるようなものが施されている機能的な靴紐はなかった。
【０００３】［考案が解決しようとする課題］
急いでいる場合で靴紐の蝶結びの結び目の緩みを締め付けようとしたときに蝶結びを解いてしまうという難儀なことがあった。本考案は、この課題を解消するためになされたものである。
【０００４】［課題を解決するための手段］
靴紐１に目印２を施した靴紐１を靴本体４に装着して蝶結びをすることによって締め付けの紐の部分３を一目で識別できるようにした。
【０００５】［考案の効果］
急を要する時、靴紐の蝶結びの結び目の緩みを直すために締め付けの紐の部分３を蝶結びの結び目から外方向に引っ張ることによって蝶結びの結び目を素早く縛れる。
【図面の簡単な説明】［図１］
本考案の斜視図である。
［図２］
本考案の使用状態を示す立面図である。
【符号の説明】
１  靴紐
２  目印
３  締め付けの紐の部分
４  靴本体
５  結び目
【図１】
0003109728.tif 000003
【図２】
0003109728.tif 000004
(57)【要約】      （修正有）【課題、正確な位置と深さ、かつ垂直に穴をあけることができるようにした、電動ドリル用垂直穿孔補助具を提供する。【解決手段】ドリルに補助具を設け、台座部分３の目印９を用い、柱部分２でスライドさせ、同時にメジャー６を用いることにより、正確な位置と深さ、また垂直に穴をあけることができる。【選択図】図１
0003109726.tif 000002
【実用新案登録請求の範囲】
【請求項１】
ドリル本体に補助具を設け、その補助具を用いることにより、穴を正確な位置と深さ、かつ穴を垂直にあけられる事を特徴とする補助具付ドリル。
【考案の詳細な説明】
【技術分野】
【０００１】本考案はドリルに補助具を設けたドリルに関するものである。
【背景技術】
【０００２】ドリルによる穴あけは、一般的に補助具などを用いずそのまま使用していた。
【考案の開示】
【考案が解決しようとする課題】
【０００３】穴を正確な位置と深さかつ垂直に穴をあけることは熟練した技術が必要であり、不慣れな者には困難であった。補助具を取り付けることにより、前述の欠点を解決するものである。
【課題を解決するための手段】
【０００４】本考案はドリル補助具を設け、その補助具の台座部分にある目印を穴をあける目標に合わせ、ドリルが補助具の柱部分の溝に沿うことで垂直に穴があけられ、同時に補助具につけたメジャーにより穴の深さも測れることにより、問題を解決。
【考案の効果】
【０００５】上述の様に本考案の補助具付ドリルは、垂直に穴をあけるための溝と、正確な位置を定めるための目印と、穴の深さを測るためのメジャーをとりつけた事により、不慣れな者でも容易に正確な穴をあけることができる。
【考案を実施するための最良の形態】
【０００６】あらかじめ、穴をあける対象とする物に十字の目標を付けておき、その目標に対し、本補助具の台座部分にある十字の目印に合わせ、ドリルを補助具の溝に沿わし動かすことで、垂直にかつ正確な位置に穴をあけることができる。同時にメジャーの目盛りを読むことにより、深さの調整も可能となる。
【実施例】
【０００７】以下、添付図面に従って一実施例を説明する。１は透明なプラスチック等適宣素材で一体化された補助具本体。２はドリルを垂直に動かすための貫通した溝４のあけられた柱部であり、ドリル本体と柱部をつなぐネジ５が溝４に沿うことにより、垂直に穴をあけることができる。【０００８】３は台座部であり、孔８と目印９がある。ドリルを用い穴をあける予定部分にあらかじめ十字の目標を入れ、補助具台座部分の目印９と重ね合わせることで、正確な場所に穴をあけることができる。【０００９】６と７はメジャーであり、６のメジャーを使用するときは基準点１０を利用し、７のメジャーを利用するときは基準点１１（ドリル本体の淵）を利用する。
【産業上の利用可能性】
【００１０】補助具自体は軽く小さいため、場所をとらず持ち運びにも便利である。
【図面の簡単な説明】
【００１１】
【図１】  本考案の補助具付ドリルを左斜め上方から見た図である。
【図２】  補助具付ドリルの正面図の一部切欠断面図である。
【図３】  補助具のみを真上から見た図である。
【図４】  補助具のみを右斜め上方から見た図である。
【符号の説明】
【００１２】１    補助具本体
２    柱部
３    台座部
４    溝
５    ネジ
６    メジャー
７    メジャー
８    孔
９    目印
１０  基準点
１１  基準点
【図１】
0003109726.tif 000003
【図２】
0003109726.tif 000004
【図３】
0003109726.tif 000005
【図４】
0003109726.tif 000006
(57)【要約】      （修正有）【課題】誰でも簡単に歩くだけで水稲水田の除草が出来る木製枠に、ピアノ線を張り、それを足に取り付け、歩く木製の除草下駄を提供する。【解決手段】木製枠１底部にピアノ線２を取り付け、ベルト３に靴を押さえ、歩く時に補助紐で調整しながら水稲水田の雑草を土中に埋める事が出来る木製道具とした。【選択図】図１
0003109729.tif 000002
【実用新案登録請求の範囲】
【請求項１】
木製枠にピアノ線を張り、それを足に取り付けて歩き、水田の雑草を土中に埋める木製道具
【考案の詳細な説明】
【考案の開示】
【考案が解決しようとする課題】
【０００１】従来、水稲水田の除草には農薬が主流であったが、その結果人の健康を害し、環境をも害してきた。今農薬が禁止され、その結果、水稲水田に雑草が多く発生する。いかに効率良く除草出来ないかという問題点を有していた。
【課題を解決するための手段】
【０００２】上記の目的を達成するために、誰でも簡単に歩くだけで水稲水田の除草が出来る木製枠に、ピアノ線を張り、それを足に取り付け、歩く木製道具とした。
【考案の効果】
【０００３】上記木製道具を足に取り付け、実際に水稲水田へ除草に入った所、ピアノ線で水田の雑草が見事に土中に埋めることができる。
【農業上の利用性】
【０００４】木製道具で軽く、水稲水田の除草が完璧にでき、又水田のガス抜き、水稲の根元への酸素補給を一度にでき、しかも人への健康、環境をも害しない利便性を持っている。
【図面の簡単な説明】
【図１】  木製枠にピアノ線を張った道具の平面図である。
【図２】  木製枠道具の側面図である。
【図３】  木製枠道具の断面図である。
【符号の説明】
１  木製
２  ピアノ線
３  ベルト・・・・靴の押さえ
４  歩くときの補助紐
【図１】
0003109729.tif 000003
【図２】
0003109729.tif 000004
【図３】
0003109729.tif 000005
(57)【要約】      （修正有）【課題】同じ電力でより広範囲を照明することができる照明装置付天井扇風機を提供する。【解決手段】モーター１から伸びる回転軸２に、回転翼３と、回転翼３内部に設置された光源４に電源を供給する回転接触端子５とが取付られている。回転翼３と回転軸２はフランジ７により連結される。これにより回転翼３自体が照明器具となる。【選択図】図１
0003109730.tif 000002
【実用新案登録請求の範囲】
【請求項１】
動力源のモーターと、
モーターの回転軸に取り付けられた回転翼と、
回転翼に取り付けられると共に照明光を照射する光源と、
モーターの回転軸に取り付けられると共に回転翼の光源に電源供給するための回転接触端子と
を備えたことを特徴とする照明装置付天井扇風機。
【請求項２】
回転翼は光源からの照明光を天井方向のみに限定する請求項１に記載の照明装置付天井扇風機。
【考案の詳細な説明】
【技術分野】
【０００１】  この考案は、照明装置付天井扇風機の構造に関する。
【背景技術】
【０００２】  従来の照明装置付天井扇風機は、回転翼とは別に照明装置が固定されており、従来の扇風機と従来の照明装置とが一つの本体に装備されたものにすぎなかった。
【考案の開示】
【考案が解決しようとする課題】
【０００３】  このように、従来の照明装置付天井扇風機では、扇風機と照明装置との双方を駆動するだけの電力を必要としながらも、照明装置が固定されているので、通常の照明装置と変わりない照明範囲しか得ることができなかった。
そこで、この考案は、同じ電力でより広範囲を照明することができる照明装置付天井扇風機を提供することを目的とする。
【課題を解決するための手段】
【０００４】  この考案に係る照明装置付天井扇風機は、動力源のモーターと、モーターの回転軸に取り付けられた回転翼と、回転翼に取り付けられると共に照明光を照射する光源と、モーターの回転軸に取り付けられると共に回転翼の光源に電源供給するための回転接触端子とを備えたものである。【０００５】  なお、回転翼が光源からの照明光を天井方向のみに限定するように構成することができる。
【考案の効果】
【０００６】  以上説明したように、この考案に係る照明装置付天井扇風機は、回転翼自体を照明装置にすることによって同じ電力でより広範囲を照明することができる。また、照明装置が回転していることによる面白さを演出することができる。
【考案を実施するための最良の形態】
【０００７】  添付図面を参照してこの考案の実施の形態について説明する。
実施の形態に係る照明装置付天井扇風機は、図１に示されるように、モーター１から伸びる回転軸２に回転翼３が取付られている。回転翼３の内部には光源４が配置されており、この光源４に電源を供給するための回転接触端子５がモーター１の回転軸２に取付られている。回転翼３と回転軸２はフランジ７により連結される。また、モーター１を内蔵する本体６は、フランジ９を介して天井１０に取り付けられる。回転翼３は、光源４からの照明光を透過する透明な材料から形成され、光源４を取替えられるように上部部材と下部部材に分解可能である。電源とモーター１の間に回転を制御するコントローラースイッチ８を有している。【０００８】  光源４としては、発光ダイオード、蛍光管等、各種の光源を用いることができる。
また、回転翼３として、モーター１の回転軸２から互いに１８０度離れた２方向に延出する翼を用いたが、これに限るものではなく、回転軸２から３方向以上に延出する翼をしようしてもよい。【０００９】  なお、回転翼３の上部部材を不透明の材料にすれば、天井１０のみを照射する間接照明とすることができる。
【図面の簡単な説明】
【００１０】
【００１１】
【図１】この考案の実施の形態に係る照明装置付天井扇風機を示す横断面図である。
【図２】この考案の実施の形態に係る照明装置付天井扇風機を示す正面図である。
【図３】この考案の実施の形態に係る照明装置付天井扇風機を示す下面図である。
【図４】この考案の実施の形態に係る照明装置付天井扇風機を示す側面図である。
【符号の説明】
【００１２】１  モーター、２  回転軸、３  回転翼、４  光源、５  回転接触端子、６  本体、７  フランジ、８  コントローラースイッチ、９  天井取付フランジ、１０  天井。
【図１】
0003109730.tif 000003
【図２】
0003109730.tif 000004
【図３】
0003109730.tif 000005
【図４】
0003109730.tif 000006
(57)【要約】      （修正有）【課題】２本式安全帯をストラップにすると、２本目のランヤード結合用リングが丸穴であれば、ストラップとリングの間にできた半円形の隙間に１本目ランヤードのフックが係合できる状態（Ｕ字つり状態）となるランヤード結合用リングを提供する。【解決手段】基端部にベルト挿通孔71を設け、先端部に丸穴部72を設けた墜落防止用安全帯のランヤード結合用リング７であって、中央に矩形穴91を設けた下部材92と上部材93とで丸穴部72を挟んで、回動自在に接着して設けた構造である。【選択図】図１
0003109789.tif 000002
【実用新案登録請求の範囲】
【請求項１】
基端部にベルト挿通孔71を設け、先端部に丸穴部72を設けた墜落防止用安全帯のランヤード結合用リング７であって、中央に矩形穴91を設けた下部材92と上部材93とで丸穴部72を挟んで、回動自在に嵌合した回動リング９を設けたことを特徴とする墜落防止用安全帯のランヤード結合用リング。
【考案の詳細な説明】
【技術分野】
【０００１】
本願は、高所作業者が墜落防止のために身体に装着する墜落防止用安全帯に係るもので、特にランヤード２本式安全帯のランヤード結合用リングに関するものである。
【背景技術】
【０００２】
従来、ランヤード２本式安全帯として、本出願人が実用新案登録第２５７７６４８号公報で開示したような形状組み合わせによる墜落防止用安全帯がある。
【０００３】
従来のランヤード２本式安全帯のランヤードは、三つ打ち（３ストランド）・八つ打ち（クロス）ロープと呼ばれている合成繊維製ロープを用いたものであった。よって、ロープ結合用リングの穴形状は、丸穴であった。（図８）
【０００４】
従来ロープの結合は、サツマ編込み（ロープ先端を解したストランドをストランド間に挿通する編み方）をしていたので、時間が掛かり、また熟練工を要するため、コストの掛かるものであった。
よって、最近、ロープに変わって合成繊維製のストラップなるものが普及し始めてきた。
ストラップにすると、ミシンによる縫製加工により、大幅に時間短縮が可能であり、しかも熟練工を要しないため、コストダウンが図れるものである。また、機能としてキンクが発生せず、軽量で取扱性が良い等の長所を有する。
【０００５】
しかし、ストラップにした２本式安全帯にすると、２本目のフックには、鉤部先端部に突出部81があり、１本目のランヤード結合用リング３には掛合できずＵ字つりが出来ないようになっているが、２本目のランヤード結合用リング７が丸穴であれば、１本目のフック５には突出部81がないので、ストラップ６とリングの間にできた半円形の隙間に１本目ランヤード６のフック５が係合できる状態（Ｕ字つり状態）となる。（図６）
【特許文献１】実用新案登録第２５７７６４８号公報
【考案の開示】
【考案が解決しようとする課題】
【０００６】
以上のように、２本目のランヤード結合用リングに無理やりにでも掛合し、Ｕ字つり状態で使用されれば、鉄骨の角等の鋭角でストラップが摩耗・切断することが考えられると共に、労働安全衛生法中の「安全帯の規格」の「一本つり専用の安全帯はＵ字つり状態で使用できない構造であること。」に適合しないものである。
よって、本願は、２本目のランヤード結合用リングにストラップの断面と同様の矩形穴にすれば、隙間が無くなり本フックを掛けることは出来なくなるが、ただ矩形穴を設けるだけではストラップの動きが固定され耐屈曲性が問題となる。
【課題を解決するための手段】
【０００７】
よって、本願は、２本目のランヤード結合用リング７にストラップ６の断面と同様の矩形穴91を有する下部材92と上部材93とで、リング７の丸穴部72を挟んで、回動自在に嵌合した回動リング９を備えることによりストラップ６が自由に回動できるようにしたものである。
【考案の効果】
【０００８】
以上記したように、本願のランヤード結合用リング７の丸穴部72に矩形穴91を設けた回動リング９を嵌合することにより、本フック５が掛止できないと共に、ストラップの基端部が自由に回動可能となって、耐屈曲性が向上するものである。また、安全帯の規格にも適合することができる。
【実施例】
【０００９】
本願の実施例を詳記すると、
基端部にベルト挿通孔71を設け、先端部に丸穴部72を設けた墜落防止用安全帯のランヤード結合用リング７であって、中央に矩形穴91を設けた下部材92と上部材93とで丸穴部72を挟んで、回動自在に嵌合した回動リング９を設けた構造のものである。
なお、図１、３に示す回動リング９は、凸部を設けた下部材92と、凹部を設けた上部材93であり、合成樹脂で製作するものである。
また、図４に示す回動リング９は、凸凹部を対称位置に設けることにより一つの金型で済むものである。
【００１０】
図７は、回動リング９をフック側のストラップ取付け穴に設けたものであり、摩耗防止としての効果を有するものである。
【００１１】
図８は、従来品の２本ランヤード付き安全帯の正面図であり、一端にバックル１を設けた胴締めベルト２に、ランヤード結合用リング３，７を挿通し、リング止め４で位置固定し、所定長さのロープ６先端にフック５，８を設けたものである。
使用方法は、１本目ロープ金具のフック５を構造物又は水平親綱に回し自己のロープ６に掛ける一本つり状態で使用したり、フック５が大口径のものであれば直接単管パイプに嵌合して使用する。そして移動方向が変わるところで水平親綱の張設方向が異なる場所では、２本目ロープ金具のフック８を水平親綱に掛けた後、１本目ロープ金具のフック５を構造物あるいは水平親綱から取り外して移動していくものである。
【図面の簡単な説明】
【００１２】
【図１】本願リングの分解斜視図。
【図２】本願リングの斜視図。
【図３】本願リングの断面端面図。
【図４】本願回動リングの斜視図。
【図５】本願リングにストラップを取付けたところの正面図。
【図６】従来リングにストラップを取付けたところの正面図。
【図７】本願回動リングをフック側に用いたところの一部正面図。
【図８】従来の２本ランヤード付き安全帯の正面図。
【符号の説明】
【００１３】
１    バックル
２    胴締めベルト
３    ストラップ結合用リング（１本目）
４    リング止め
５    フック（１本目）
６    ストラップ
７    ストラップ結合用リング（２本目）
71    挿通孔
72    丸穴部
８    フック（２本目）
81    突出部
９    回動リング
91    矩形穴
92    下部材
93    上部材
【図１】
0003109789.tif 000003
【図２】
0003109789.tif 000004
【図３】
0003109789.tif 000005
【図４】
0003109789.tif 000006
【図５】
0003109789.tif 000007
【図６】
0003109789.tif 000008
【図７】
0003109789.tif 000009
【図８】
0003109789.tif 000010
(57)【要約】      （修正有）【課題】透水性の溝蓋を用いたとき、また、溝蓋の受枠の外側を固めている路面材として通水性のものを用いたとき、受枠の個所のみが水はけが悪くなる。【解決手段】排水溝の溝蓋の受枠１に適宜数の穴４を設けて水はけを良くした排水溝の溝蓋用通水性受枠１。【選択図】図１
0003109783.tif 000002
【実用新案登録請求の範囲】
【請求項１】
排水溝の溝蓋の受枠に適宜数の穴を設けて水はけを良くしたことを特徴とする排水溝の溝蓋用通水性受枠。
【考案の詳細な説明】
【技術分野】
【０００１】
本考案は、道路や公園および建物まわりに敷設される排水溝の溝蓋用通水性受枠に関するものである。
【背景技術】
【０００２】
従来、道路や公園および建物まわりに敷設される排水溝の溝蓋用受枠は、金属板、プラスチック板等を用い、Ｌ型アングルあるいはＺ型アングルを始として各種の形状に形成したものが使用されている。
【考案の開示】
【考案が解決しようとする課題】
【０００３】
排水溝の溝蓋として透水性の溝蓋を用いたとき、また、溝蓋の受枠の外側を固めている路面材として通水性のあるアスファルトなどを用いたとき、従来の受枠では、当該受枠の個所のみが水はけが悪く、場合によっては水溜りの原因となる点である。
【課題を解決するための手段】
【０００４】
本考案は、排水溝の溝蓋用受枠において、金属板、プラスチック板等を用い、Ｌ型アングルあるいはＺ型アングル、その他、溝蓋の形状あるいは設置場所の状態に適合する形状に適宜に形成した受枠に、適宜数の穴を設けて水はけを良くしたことを特徴とする。
【考案の効果】
【０００５】
本考案の排水溝の溝蓋用通水性受枠は、適宜数の穴を設けて水はけを良くしているので、透水性の溝蓋を用いたとき、また、溝蓋の受枠の外側を固めている路面材として通水性のあるアスファルトなどを用いたきに、受枠部分に水溜りが生ずることなく、全体が均等に排水される。
【考案を実施するための最良の形態】
【０００６】
本考案の排水溝の溝蓋用通水性受枠の材質および形状としては、従来と同様のものが使用され特に限定されるものではない。すなわち、金属板、プラスチック板などを用い、Ｌ型アングルあるいはＺ型アングルを始めとして、各種の形状に成形したものが使用される。
本考案の排水溝の溝蓋用通水性受枠の作成は、従来の受枠と同様にして行えばよい。
本考案においては、受枠に穴を設けるのであるが、穴を設ける個所は、例えば、Ｌ型アングルあるいはＺ型アングルの場合には、一方の面あるいは他の面の両面などで、その他の形状の受枠の場合には、その形状に応じて選定する。この穴を設ける個所および穴の数は、敷設場所などを考慮して水はけが良くなるように適宜決められる。
該穴を設けるに当たっては、溝蓋用通水性受枠に形成する前の板状体に予め設けておくか、あるいは形成後に設けてもよい。
【０００７】
〔実施例１〕
溝蓋用通水性受枠としてＬ型アングルを用いた場合の実施例を示す。
図１および図２に示すように、ステンレス鋼板を用いてＬ型アングルに形成した溝蓋受枠１の縦面に複数の穴４を設け、溝５の溝蓋６を載置する位置に敷設する。７は溝蓋受枠１の外側の路面である。
上記溝蓋６は透水性のグレーチングで、路面７の路面材はアスファルトなどの通水性を有するものである。
本実施例においては、Ｌ型アングルに形成した溝蓋受枠１の縦面だけに穴４を設けているが、Ｌ型アングルに形成した溝蓋受枠１の横面の両方あるいは横面だけに設けてもよい。
【０００８】
〔実施例２〕
溝蓋用通水性受枠としてＺ型アングルを用いた場合の実施例を示す。
図３に示すように、ステンレス鋼板を用いてＺ型アングルに形成した溝蓋受枠２の上部縦面に複数の穴４を設け、溝５の溝蓋６を載置する位置に敷設する。図３においては、溝蓋６は図示していないが、実施例１の図２の場合と同様にしてＺ型アングルに形成した溝蓋受枠２に載置する。
上記溝蓋６は透水性のグレーチングで、路面７の路面材はアスファルトなどの通水性を有するものである。
本実施例においては、Ｚ型アングルに形成した溝蓋受枠２の上部縦面だけに穴４を設けているが、Ｚ型アングルに形成した溝蓋受枠２の横面の両方あるいは横面だけに設けてもよい。
【０００９】
〔実施例３〕
溝蓋用通水性受枠としてフォーミング枠を用いた場合の実施例を示す。
図４に示すように、ステンレス鋼板を用いてフォーミング枠に形成した溝蓋受枠３の上部縦面に複数の穴４を設け、溝５の溝蓋６を載置する位置に敷設する。図４においては、溝蓋６は図示していないが、実施例１の図２の場合と同様にしてフォーミング枠に形成した溝蓋受枠３に載置する。
上記溝蓋６は透水性のグレーチングで、路面６の路面材はアスファルトなどの通水性を有するものである。
本実施例においては、フォーミング枠に形成した溝蓋受枠３の上部縦面だけに穴４を設けているが、実施例１および実施例２と同様に、横面の両方あるいは横面だけに設けてもよい。
【産業上の利用可能性】
【００１０】
本考案の排水溝の溝蓋用通水性受枠は、水はけが良好であるから、排水溝の溝蓋として透水性の溝蓋を用い、また、溝蓋の受枠の外側を固めている路面材として通水性のあるアスファルトなどを用いている場所において、きわめて実用性が高い。
【図面の簡単な説明】
【００１１】
【図１】Ｌ型アングルに形成した本考案の通水性受枠の敷設状態を示す斜視図である。
【図２】Ｌ型アングルに形成した本考案の通水性受枠の敷設状態を示す斜視図である。
【図３】Ｚ型アングルに形成した本考案の通水性受枠の敷設状態を示す斜視図である。
【図４】フォーミング枠に形成した本考案の通水性受枠の敷設状態を示す斜視図である。
【符号の説明】
【００１２】
１  Ｌ型アングルに形成した溝蓋受枠
２  Ｚ型アングルに形成した溝蓋受枠
３  フォーミング枠に形成した溝蓋受枠
４  穴
５  溝
６  溝蓋
７  路面
【図１】
0003109783.tif 000003
【図２】
0003109783.tif 000004
【図３】
0003109783.tif 000005
【図４】
0003109783.tif 000006
(57)【要約】 【課題】筆記具を机上に放置することが減り、狭い机上でも邪魔にならず、目前で筆記具を素早く出し入れできる筆箱を提供する。【解決手段】    筆箱周囲部２と３の間の幅をやや狭め、天板をしっかり挟み込めるようにクリップ式に加工する。そのため、材質として弾性と硬さのある硬質塩ビ（ＰＶＣ）や硬鋼材等を使用する。挟み込んだ筆箱が天板からずれ落ちないように、天板表面と接する部分４にゴムを取り付ける。さらに机との接着力を増すため、下部の先端５に、磁石を取り付ける。    筆箱の中箱部６は、筆箱周囲部１の中に丁度納まる大きさの箱型に加工する。その際、中箱部６が筆箱周囲部１より外れて落ちないように、半円形状で小さな突起部７を付ける。また筆箱を収納させた状態を示す図３で、中箱部６が周囲部先端ゴム４と接する部分に、凹部を施してゴム４部分が丁度収まるようにする。【選択図】図１
0003109701.tif 000002
【実用新案登録請求の範囲】
【請求項１】
机の天板先端に押し当てることで筆箱が開き、天板に挟み装着できる押し開き天板装着筆箱。
【考案の詳細な説明】
【技術分野】
【０００１】
この考案は、机の天板先端に取り付けるための筆箱（文具）に関するものである。
【背景技術】
【０００２】
狭い机の天板上に置いた筆箱は、作業の邪魔になり、ちょっとした弾みや不注意で落としてしまうことが多い。また机の中に入れたり、サイド面取り付けの筆箱では、筆記用具を取り出しにくいし、中身が見えにくい。
【０００３】
実用新案文献１に示す、天板表面に接着させる筆箱は、天板上で使用するため、狭い机の天板上では邪魔になる。
また実用新案文献２に示す、天板の裏面に接着して吊るして使用する筆箱や、実用新案文献３に示す、収納部側面接着の筆箱は、筆箱の中身が見えにくく、より敏速な取り出しができない。
【実用新案文献１】
【０００４】
実用新案公開平７−２６１８２
【実用新案文献２】
【０００５】
実用新案登録３０８３７９２
【実用新案文献３】
【０００６】
実用新案登録３０８３７９２
【考案の開示】
【考案が解決しようとする課題】
【０００７】
筆箱本体を、狭い机の天板の上に装着すると邪魔になり、側面に装着すると筆記用具が見えにくく、出し入れしにくいという問題点がある。
【課題を解決するための手段】
【０００８】
机の天板先端に押し当てることで筆箱が開き、天板に挟み装着できる押し開き天板装着筆箱。
【考案の効果】
【０００９】
本案は、机の天板先端に筆箱側面を押し当てることで、筆箱のフタを開くことができ、同時に天板に挟み装着できる。狭い机の天板でも邪魔にならず、天板スペースをより有効に活用でき、同時に目前で筆箱の中身が見え、筆記用具を素早く取り出しできる。さらに筆箱が天板と水平につながっているので、机上の筆記具が転がっても落としにくい筆箱として提供できる。
【考案を実施するための最良の形態】
【００１０】
筆箱の外箱部１は、その先端上部２と先端下部３をクリップ式に加工して弾力性をもたせ、机の天板を挟み込めるようにする。そのため、材質は硬質塩ビ（ＰＶＣ）や、硬鋼材等を使用する。硬材は差し込み口の撓みを防ぎ、机の天板をしっかり挟み込める。また机の天板表面と接する外箱部の先端上部２の裏側にゴム４を取り付ける。これは、机の天板表面と接する外箱部の先端上部２の裏側部分が、机の天板表面を傷つけることを防止するとともに、筆箱の外れ落ちを防ぎ筆箱収納時にはホックとして筆箱の外箱部１と中箱部６を止める役目をする。
さらにこの筆箱が机の天板より外れ落ちしないように、机の天板裏面の金属部と接する外箱部の先端下部３の端に、磁石５を接着することで天板下の金属部に張り付くようにする。
筆箱の中箱部６は、鉛筆や消しゴム等筆記具を収納する部分である。引き出した際に、周囲部より外れないようにストッパー７を凸状態に付けておく。
収納した状態にある図３の、筆箱中箱部６には、先端上部２のゴム４と接する部分に、窪みを施してゴム４が収まるようにする。尚、筆箱中箱部６の材質は外箱部１と同材質でよい。
【実施例１】
【００１１】
本案は、以上のような構造であるから、この筆箱を机の天板に挟み装着して使用するときは、まず両手で筆箱外箱部１の両端を横から持ち、筆箱中箱部６の手前側面を机の天板先端に当てる。そして筆箱外箱部１を自分の方へ引き寄せてスライドさせる。すると、筆箱外箱部の先端上部２と先端下部３が机の天板を捉え、机を挟み込み装着する。同時に中箱部は筆箱外箱部１と反対方向へスライドして押し出され、中箱部６の上面が開き、中の筆記用具が取り出せる状態になる。
【実施例２】
【００１２】
この筆箱を机の天板から抜き取り、収納する際は、両手で筆箱外箱部１の両端を横から持ち、開いている中箱部６の手先側面の両端を両人差し指で押し込みながら、筆箱外箱部・筆箱中箱部を机の天板より引き抜く。
【００１３】
なお、この考案の実施にあたって、この筆箱を机の天板から引き抜こうとする際に、磁石５の接着力が強く、机の天板部分より引き抜きにくいことがある。その際は、筆箱外箱部１の片端だけを、まず机の天板先端より引き離してから、すべてを抜き取るようにする。
【図面の簡単な説明】
【００１４】
【図１】この考案の実施形態を示す斜視図である。
【図２】中箱部６が開いた状態を示す側面図である。
【図３】中箱部６を収納した状態を示す側面図である。
【図４】中箱部６が開いた状態を示す上面図である。
【符号の説明】
【００１５】
１筆箱外箱部    
２筆箱外箱部の先端上部
３筆箱外箱部の先端下部
４ゴム
５磁石
６筆箱中箱部
７ストッパー
【図１】
0003109701.tif 000003
【図２】
0003109701.tif 000004
【図３】
0003109701.tif 000005
【図４】
0003109701.tif 000006
【手続補正書】
【提出日】平成16年3月26日(2004.3.26)
【手続補正１】
【補正対象書類名】実用新案登録請求の範囲
【補正対象項目名】全文
【補正方法】変更
【補正の内容】
【実用新案登録請求の範囲】
【請求項１】
筆箱の外箱部がクリップ式で天板を挟み込めるようにし、筆箱の中箱部が外箱部と反対方向へスライドする、天板装着筆箱。
【手続補正書】
【提出日】平成16年7月23日(2004.7.23)
【手続補正１】
【補正対象書類名】実用新案登録請求の範囲
【補正対象項目名】請求項１
【補正方法】変更
【補正の内容】
【請求項１】
机の天板を挟み込めるように、筆箱の外箱部（１）の先端上部（２）と先端下部（３）
をクリップ状に仕上げたことを特徴とする天板装着筆箱。
(57)【要約】      （修正有）【課題】本考案のステップオンスケーターは最初から全くキツクすることなく１回の踏込みで前進し連続動作を早くすることにより速度が早まるが安全のためハンドブレーキを装着する、又車輪の直径の大きさにより前輪のハンドルシヤフトの変芯角度は変へるものとする。【解決手段】上記ステップオンスケーターの安全対策としてのブレーキについて主としては後輪１２にハンドレバ式ブレーキを付ける。【選択図】図１
0003109702.tif 000002
【実用新案登録請求の範囲】
【請求項１】
既存キツクスケターではなく連続の足踏動作にて走行するスケーターである。
【請求項２】
既存スケータより早い走行が可能になるため直進性の定定を計るため前輪ハンドルシヤフトのセンターを前輪軸より（図３）変芯させブレを防ぐ。
【考案の詳細な説明】
【技術分野】
【０００１】本考案は、地面をキツクしながら走るのではなく、スケターに乗つたままボード後方の踏板を踏む事により前進し連続の作用により走行し続ける。
【背景技術】
【０００２】フリーホイールの効杲により前進の一定方向に動きギヤが停止に於ても車輪は回転し前進する。
【考案の開示】
【考案が解決しようとする課題】
【０００３】踏板下アーム側ギヤとフリーホイールギヤ上下に動くとき上下各１歯は噛み合はせ４枚の歯が動力を伝へているがより早い走行を望むときつまりアームギヤのストロークを大にする、そのためアームギヤがフリーホイールギヤより上部に離れ踏込力を大にすると共にこの時力を伝へる歯数は５枚となり伝達力は増し早く走行出来る
【考案の効果】
【０００４】連続性維持のため踏板下スプリングにて跳ね上げ又踏む、しかし乗る人の力の強弱に依りスプリングの位置を前後にスライドさせる事により調整させ適力に合す様にする。【０００５】上記０００３走行時スピードが出る故直進操作を高めるためハンドル軸芯を（図３）前輪半径の半分から前輪先端の間迄変芯させ安定させる。
【考案を実施するための最良の形態】
【０００６】本案は市販自転車用フリーホイールを使用により安価な作製が出来普及し易く青少年の健康増進にも役立つ。
【図面の簡単な説明】
【０００７】
【図１】  本件ステツオンスケーターの躯動部の立面図である
【図２】  同上部平面図及全体図（詳細図位置指定図）
【図３】  前輪変芯図
【符号の説明】
【０００８】  １  フリーホイール
２  フリーホイールギヤ
３  ステツプオンアーム
４  アームギヤ
５  アームピン
６  スプリング
７  アンダーストツパー
８  アツパーストツパー
９  踏板
１０  ボートスタンド
１１  シヤシーフレーム
１２  車輪
【図１】
0003109702.tif 000003
【図２】
0003109702.tif 000004
【図３】
0003109702.tif 000005
【手続補正書】
【提出日】平成16年5月27日(2004.5.27)
【手続補正１】
【補正対象書類名】実用新案登録請求の範囲
【補正対象項目名】全文
【補正方法】変更
【補正の内容】
【実用新案登録請求の範囲】
【請求項１】
後輪に接続したフリーホイルギヤに上下に動くアームギヤを足で踏む事により前進させその行為を繰り返し連続走行させるステップオンスケーターである。
【請求項２】
前輪の軸心ハンドルのセンター下部上でなく、センターより後方にズラシ凹凸走行時車輪のブレを小さくすると共にハンドルに於ても安定させ走行する装置で有る。
【手続補正書】
【提出日】平成16年8月25日(2004.8.25)
【手続補正１】
【補正対象書類名】実用新案登録請求の範囲
【補正対象項目名】全文
【補正方法】変更
【補正の内容】
【実用新案登録請求の範囲】
【請求項１】
後輪に接続したフリーホイルギヤに上下に動くアームギアを足で踏む事により両者のギヤが噛み合い前進方向に後輪を回転させ進む、その行為を繰り返し連続走行させるスケーターである。
【請求項２】
アームギヤを踏下げ前進するも次に踏込む為にはアームギヤは踏ね上る、そのとき踏足は爪先立になり又踏下げる。この動作は身体重心の変動を起しそれが前輪のブレになり直進性の不安を起すこの為前輪軸はハンドルセンター下ではなく後方に移し直進性を保ち走行させる装置である。
【手続補正書】
【提出日】平成16年11月26日(2004.11.26)
【手続補正１】
【補正対象書類名】実用新案登録請求の範囲
【補正対象項目名】全文
【補正方法】変更
【補正の内容】
【実用新案登録請求の範囲】
【請求項１】
後輪に接続したフリーホイルギヤに上下に動くアームギヤを足で踏むことにより両者のギヤが噛み合い前進方向に後輪を回転させ進み次にアームギアは下のバネにより跳ね上げられ又踏む、其の行為を繰り返し連続走行させるスケーター。
【請求項２】
アームギアを踏み下げ前進するも次に踏み込む為にはアームギアわバネにて跳ね上がる、其の時踏み足は爪先立ちになり又踏み下げる、この動作は身体重心の変動を起こしそれが前輪のブレになり直線性の不安を起こすこの為前輪軸はハンドルセンター下ではなく後方に移し直進性を保ち走行させる請求項１に記載のスケーターの前輪の装置。
(57)【要約】      （修正有）【課題】厚さが均等でない直径約２．５ｃｍの円盤型清水焼にひびが入ることなく、軽く衝撃に強い焼き物に仕上げ、上部の穴に金具を通し、キーホルダー・根付とする。【解決手段】専用の穴あけ工具を開発することで清水焼に小さな穴を開けることを可能とし、厚さが均等でない土が素焼きの段階で割れてしまわないようにゆっくり温度をあげることで割れを防ぎ、高温度で本焼きすることで軽く強い焼き物に仕上げることができる。【選択図】図１
0003109708.tif 000002
【実用新案登録請求の範囲】
【請求項１】
鉄製の穴あけ機で上部に穴を開けた円盤型の清水焼の上面に桜、もみじ、瓢箪の図柄、五山送り火の文字や形を彫り、蓄光塗料を塗り、色付けをして高温度で光沢よく焼き上げた後、上部の穴に金具を通して京都をイメージするお土産物としてキーホルダー・根付としたもの。
【考案の詳細な説明】
【技術分野】
【０００１】  本考案は、京都をイメージした図柄を彫り、蓄光塗料を入れ色付けして焼き上げたキーホルダー・根付用の直径約２．５ｃｍ円盤型穴開き清水焼に関するものである。
【背景技術】
【０００２】  従来の清水焼は、小さな焼き物に穴を開けたり厚さが均等ではないものを焼き上げるのは難しく、その上重く割れやすいので、キーホルダー・根付のように常に持ち歩き衝撃の加わりやすいものには使われていなかった。
【考案の開示】
【考案が解決しようとする課題】
【０００３】  清水焼をキーホルダー・根付に用いるためには、焼き物を小さく軽く割れにくくし、金具をつけるための穴を開ける必要がある。従って小さな焼き物に小さな穴を開ける工具を作り、従来の清水焼とは違う焼き方で焼き上げる事で問題を解決しようとするものである。
【課題を解決するための手段】
【０００４】  本考案は、従来の清水焼ではひびが入りやすいために小さな焼き物には穴を開けないという問題を解決するため、直径約２．５ｃｍの清水焼に直径２ｍｍの穴を開ける専用の円筒状鉄製工具を作った。また、厚さが均等ではないものを焼き上げるために全体が均等な温度になるまでゆっくり温度をあげて素焼きした。さらに軽く割れにくい焼き物に仕上げるため高温度で本焼きすることにより問題点を解決している。
【考案の効果】
【０００５】  上述の様に、本考案の清水焼キーホルダー・根付は、厚さが均等でない直径約２．５ｃｍの円盤型清水焼にひびが入ることなく、軽く衝撃に強い焼き物に仕上げ、上部の穴に金具を通すことでお土産用キーホルダー・根付とすることができる。
【考案を実施するための最良の形態】
【０００６】  軽く固く焼き上げた清水焼の上面には蓄光塗料などで鮮やかに色付けされており、明るい場所でもその美しさを堪能することができるが、光を消した後でも蓄光塗料により図柄が光り、神秘的な雰囲気を楽しむことができる。京都をイメージする図柄なので京都らしいお土産物として活用する。
【実施例】
【０００７】  以下、添付図面に従って一実施例を説明する。図１のように、京都をイメージした図柄を色付けして本焼きした円盤型清水焼の上部の穴に符号２の金具を取り付けることでキーホルダーとなり、京都のお土産物として販売できる。【０００８】  図２のように、京都をイメージした図柄を色付けして本焼きした円盤型清水焼の上部の穴に符号３の金具で符号４の組紐を取り付けることで根付となり、京都のお土産物として販売できる。
【図面の簡単な説明】
【０００９】
【図１】本考案の清水焼キーホルダーの実施例を示す正面図である。
【図２】本考案の清水焼根付の実施例を示す正面図である。
【図３】本考案の清水焼キーホルダーの実施例を示す側面図である。
【図４】本考案の清水焼根付の実施例を示す側面図である。
【図５】桜の花を表した図である。
【図６】もみじの葉を表した図である。
【図７】瓢箪の実を表した図である。
【図８】東山如意ヶ岳の大文字の大を表した図である。
【図９】大北山の左大文字の大を表した図である。
【図１０】松ヶ崎西山の妙を表した図である。
【図１１】松ヶ崎東山の法を表した図である。
【図１２】西賀茂明見山の船形を表した図である。
【図１３】上嵯峨仙翁寺山の鳥居形を表した図である。
【図１４】図５から図１３の側面を表した図である。
【図１５】図５から図１３の裏面を表した図である。
【符号の説明】
【００１０】１  清水焼本体
２  キーホルダー用金具
３  根付用金具
４  組紐
【図１】
0003109708.tif 000003
【図２】
0003109708.tif 000004
【図３】
0003109708.tif 000005
【図４】
0003109708.tif 000006
【図５】
0003109708.tif 000007
【図６】
0003109708.tif 000008
【図７】
0003109708.tif 000009
【図８】
0003109708.tif 000010
【図９】
0003109708.tif 000011
【図１０】
0003109708.tif 000012
【図１１】
0003109708.tif 000013
【図１２】
0003109708.tif 000014
【図１３】
0003109708.tif 000015
【図１４】
0003109708.tif 000016
【図１５】
0003109708.tif 000017
【手続補正書】
【提出日】平成16年12月3日(2004.12.3)
【手続補正１】
【補正対象書類名】実用新案登録請求の範囲
【補正対象項目名】全文
【補正方法】変更
【補正の内容】
【実用新案登録請求の範囲】
【請求項１】
厚み方向が上下山型の一方の山表面に、桜、紅葉、瓢箪、の図柄、五山の送り火の文字や形を彫った磁器に畜光塗料を塗ったキーホルダー又は、根付け。
(57)【要約】【課題】防衛庁演習場内の被弾木を処理活用する。これまでの被弾木の処理は前述（従来の技術で触れた）のとおり、適切な処理方法とは言えず、安全でかつ最も適当な処理方法は燃料として使うことである。燃料とした場合はＮｏｘとＣＯを安定抑制しながら完全燃焼を実現する無公害かつ安全な施設での処理が可能である。二次的には、被弾木を主燃料とした被弾木処理プラントにより発電しその電力及び温水を利用した付随する設備（温泉施設・温水プール等）を建設することにより、地元住民への福利厚生サービスの充実及び新たなる利益、新たなる雇用の創出を図ることができる。なお、被弾木に付着している被弾片には火薬類はなく破片のみであるため爆発の心配は一切ない。【解決手段】防衛庁演習場内の被弾木を燃料とし、その被弾木処理プラントにより発電するその際の利用済みの温水で温泉施設、プール施設、魚の養殖等に再利用し地元に貢献する。【選択図】  図  １
0003109705.tif 000002
【実用新案登録請求の範囲】
【請求項１】
防衛庁演習場内の被弾木を燃料とした被弾木処理プラントにより蒸気タービンを廻し発電する設備及びその際の利用済みの温水を露天風呂に利用し、かつそれ以外にもキノコ栽培等に利用できる設備
【考案の詳細な説明】
【考案の詳細な説明】
【産業上の利用分野】
【０００１】この考案の主目的は、被弾木を燃料とした被弾木処理プラントを建設する。これは焼却炉の熱と地下水を利用して蒸気タービンを廻し発電する施設である。
２次的には、温水の温泉及びプールとして利用或いは魚の養殖など灰処理は適切かつ有効に利用する
【背景技術】
【０００２】被弾木有効活用として
▲１▼  被弾木を利用したキノコ栽培
▲２▼  チップ、建築用材等としての活用等
があるが、被弾木に付着又は残っている被弾片或いは銃弾などがあり被弾木を裁断又は切断するさいに鋸の歯の破損及び破損した破片が周辺に飛び散るなど非常に危険である。
上記はいずれも実施したが、実現ができませんでした。
【考案が解決しようとする課題】
【０００３】防衛庁演習場内の被弾木の処理
【課題を解決するための手段】
【０００４】被弾木処理プラント施設及びそれに付随する施設の建設
【考案の効果】
【０００５】防衛庁演習場内の被弾木の適正な処理及び演習場等に関連する用途指定解除地域の有効活用としてその地域に処理施設及びそれに付随する施設を建設することで地元住民への福利厚生と新たな利益新たな雇用を創出する。
【図面の簡単な説明】
【図１】本図案は簡易図
【符号の説明】
▲１▼被弾木  ▲２▼被弾木処理プラント  ▲３▼発電  ▲４▼温泉施設  ▲５▼温水プール  ▲６▼魚の養殖
0003109705.tif 000003
【手続補正書】
【提出日】平成16年6月11日(2004.6.11)
【手続補正２】
【補正対象書類名】実用新案登録請求の範囲
【補正対象項目名】全文
【補正方法】変更
【補正の内容】
【実用新案登録請求の範囲】
【請求項１】
防衛庁演習場内の被弾木を燃料とした被弾木焼却炉の余熱利用による廃熱ボイラー及びその蒸気を利用した蒸気タービン発電機を併設する被弾木処理プラント。
【手続補正３】
【補正対象書類名】図面
【補正対象項目名】全図
【補正方法】変更
【補正の内容】
【図１】
0003109705.tif 000004
【手続補正書】
【提出日】平成16年9月27日(2004.9.27)
【手続補正１】
【補正対象書類名】実用新案登録請求の範囲
【補正対象項目名】全文
【補正方法】変更
【補正の内容】
【実用新案登録請求の範囲】
【請求項１】
防衛庁演習場内の被弾木を燃料とした被弾木焼却炉と前記からなる廃熱を利用した廃熱ボイラーから構成される被弾木処理プラントにおいて、同プラントの廃熱ボイラーによる温水及び同プラントの水蒸気を利用した蒸気タービンによる発電機から発電された電気を利用した施設を併設したことを特徴とする被弾木処理プラント。